(57)【要約】【課題】表示装置の起動時に設置場所にあわせた初期画面を表示させることができる宅内表示システムを提供する。【解決手段】表示制御部２ａ〜２ｃは、住戸ＨＭの各空間Ｒａ〜Ｒｃに設けられた表示装置１ａ〜１ｃの表示を制御する。表示制御部２ａ〜２ｃは、各空間Ｒａ〜Ｒｃの位置情報と、表示装置１ａ〜１ｃの起動時に表示させるコンテンツのアドレス情報とを対応付けたデータテーブルを備える。各表示制御部２ａ〜２ｃは、対応する表示装置１ａ〜１ｃのスリープ時に、人感センサ３ａ〜３ｃから人体検知信号が入力されると、制御対象の表示装置１ａ〜１ｃから取得した位置情報をもとにデータテーブルを参照して、対応するコンテンツのアドレス情報を取得する。そして、各表示制御部２ａ〜２ｃは、取得したアドレス情報を用いてコンテンツサーバ５にアクセスし、コンテンツサーバ５から提供されたコンテンツを制御対象の表示装置１ａ〜１ｃに表示させる。【選択図】図１
2011204196.tif 000002
【特許請求の範囲】
【請求項１】
住戸内に設けられて、住戸人に提供するためのコンテンツを表示するとともに、コンテンツの表示が終了するとスリープ状態に移行する表示装置と、
前記表示装置の表示を制御する表示制御部と、
スリープ状態の前記表示装置を起動させるトリガ信号を前記表示制御部に出力するトリガ発生部と、
前記表示制御部に対してコンテンツを提供するコンテンツサーバと、
前記住戸内の複数の空間にそれぞれ割り当てられた位置情報と、前記表示装置の起動時に表示させるコンテンツのアドレス情報とを対応付けて記憶する記憶部と、
前記表示装置に対してこの表示装置が存在する空間の位置情報を設定する位置情報設定部とを備え、
前記表示制御部は、前記トリガ信号が入力されると、制御対象の前記表示装置から取得した位置情報をもとに前記記憶部から対応するアドレス情報を取得し、このアドレス情報を用いて前記コンテンツサーバにアクセスし、このコンテンツサーバから提供されたコンテンツを制御対象の前記表示装置に表示させることを特徴とする宅内表示システム。
【請求項２】
前記住戸内の複数の空間は、住戸人の滞留時間が相対的に長い滞在型の空間と、前記滞留時間が相対的に短い通過型の空間とにそれぞれ分類され、
前記記憶部には、滞在型の空間に対応付けて、滞在型の空間で提供される滞在型コンテンツのコンテンツアドレスが登録されるとともに、通過型の空間に対応付けて、通過型の空間で提供される通過型コンテンツのコンテンツアドレスが登録されることを特徴とする請求項１記載の宅内表示システム。
【請求項３】
前記住戸内の複数の空間は、住戸人の滞留時間が相対的に長い滞在型の空間と、前記滞留時間が相対的に短い通過型の空間とにそれぞれ分類され、
前記トリガ信号の入力に応じて前記表示制御部が前記表示装置にコンテンツを表示させる表示時間は、制御対象の前記表示装置が滞在型の空間にある場合に比べて、通過型の空間にある場合の方が短い時間に設定されたことを特徴とする請求項１又は２の何れか１項に記載の宅内表示システム。
【請求項４】
前記記憶部において、前記住戸内の所望の空間に対応付けて、コンテンツのアドレス情報の代わりにテレビジョン放送のテレビ映像が設定されると、
前記表示制御部は、前記所望の空間にある前記表示装置の起動時に、この表示装置に前記テレビジョン放送のテレビ映像を表示させることを特徴とする請求項１乃至３の何れか１項に記載の宅内表示システム。
【請求項５】
前記コンテンツサーバは、前記表示制御部からアクセスされた際に、アクセスされた時刻に応じて、前記アドレス情報のリンク先のコンテンツを変更する機能を有することを特徴とする請求項１乃至４の何れか１項に記載の宅内表示システム。
【請求項６】
前記記憶部が、前記コンテンツサーバに設けられ、
前記表示制御部は、前記トリガ信号が入力されると、制御対象の前記表示装置から位置情報を取得して、この位置情報を前記コンテンツサーバに送信し、
前記コンテンツサーバは、前記表示制御部から位置情報を取得すると、前記記憶部から対応するアドレス情報を取得して、このアドレス情報を送信元の前記表示制御部へ返送しており、
送信元の前記表示制御部では、前記コンテンツサーバから返送されたアドレス情報を用いて、前記コンテンツサーバにアクセスし、このコンテンツサーバから提供されたコンテンツを前記表示装置に表示させることを特徴とする請求項１乃至５の何れか１項に記載の宅内表示システム。
【発明の詳細な説明】
【技術分野】
【０００１】
本発明は、宅内表示システムに関するものである。
【背景技術】
【０００２】
従来、宅内の設備機器の動作を制御するためのコントロールパネルやテレビなど、宅内に設置された表示装置により、ウェブページなどのコンテンツを閲覧できるようにした宅内表示システムが提案されている。
【０００３】
このような表示装置では、ユーザが指定したコンテンツを表示してから、ユーザによる操作が行われない状態が一定時間継続すると、画面表示を停止してスリープ状態に移行することによって、使用電力量の低減を図っている。そして、スリープ状態に移行後に、人感センサの人体検知信号やユーザの操作入力をトリガとしてスリープ状態が解除されると、表示装置には、常に決められた初期画面が表示されるようになっていた。例えばコントロールパネルであればトップメニューが表示され、テレビであればスリープ状態に切り替わる前のチャネル或いは入力モードで起動していた。そのため、スリープ状態が解除されると、ユーザは、必要とする情報（コンテンツ）を表示させるために、その都度、コンテンツを選択するための操作を行う必要があった。
【０００４】
ところで、特許文献１には、ブラウザの起動時に表示するホームページを、時期的条件（時刻、時間帯、曜日又は日）に応じて予め設定することができるウェブページ表示装置が開示されている。このウェブページ表示装置では、ブラウザの起動時に、時期的条件に合致したホームページのＵＲＬを登録ファイルから読み出し、読み出したＵＲＬのウェブページを表示装置に表示させることで、時期的条件に応じたウェブページが表示されるようになっていた。
【先行技術文献】
【特許文献】
【０００５】
【特許文献１】特開２００４−１３８５２号公報
【発明の概要】
【発明が解決しようとする課題】
【０００６】
上記構成のウェブページ表示装置では、起動時に表示するホームぺージが時期的条件に対応付けて設定されているので、住宅内の複数の空間に表示装置がそれぞれ設置されている場合、複数の表示装置で表示される初期画面は同じ画面となっていた。ところで、住宅内の複数の場所（居間、台所、廊下、玄関など）に表示装置が設置されている場合、設置場所によって住居人が必要とする情報は異なると予想される。しかしながら、上記のウェブページ表示装置では、ブラウザ起動時に表示されるコンテンツは設置場所に関係無く同じものであった。そのため、住宅内の各所にある表示装置に、その設置場所に合わせたコンテンツを表示させることができず、ユーザは、所望のコンテンツを表示させるために何らかの操作を行う必要があるから、ウェブページを閲覧するための手間がかかるという問題があった。
【０００７】
本発明は上記課題に鑑みて為されたものであり、その目的とするところは、スリープ状態が解除された際に設置場所にあわせた初期画面を表示させることができる宅内表示システムを提供することにある。
【課題を解決するための手段】
【０００８】
上記課題を解決するために、本発明の宅内表示システムは、住戸内に設けられて、住戸人に提供するためのコンテンツを表示するとともに、コンテンツの表示が終了するとスリープ状態に移行する表示装置と、表示装置の表示を制御する表示制御部と、スリープ状態の表示装置を起動させるトリガ信号を表示制御部に出力するトリガ発生部と、表示制御部に対してコンテンツを提供するコンテンツサーバと、住戸内の複数の空間にそれぞれ割り当てられた位置情報と、表示装置の起動時に表示させるコンテンツのアドレス情報とを対応付けて記憶する記憶部と、表示装置に対してこの表示装置が存在する空間の位置情報を設定する位置情報設定部とを備え、表示制御部は、トリガ信号が入力されると、制御対象の表示装置から取得した位置情報をもとに記憶部から対応するアドレス情報を取得し、このアドレス情報を用いてコンテンツサーバにアクセスし、このコンテンツサーバから提供されたコンテンツを制御対象の表示装置に表示させることを特徴とする。
【０００９】
この宅内表示システムにおいて、住戸内の複数の空間が、住戸人の滞留時間が相対的に長い滞在型の空間と、滞留時間が相対的に短い通過型の空間とにそれぞれ分類され、記憶部には、滞在型の空間に対応付けて、滞在型の空間で提供される滞在型コンテンツのコンテンツアドレスが登録されるとともに、通過型の空間に対応付けて、通過型の空間で提供される通過型コンテンツのコンテンツアドレスが登録されることが好ましい。
【００１０】
また、この宅内表示システムにおいて、住戸内の複数の空間は、住戸人の滞留時間が相対的に長い滞在型の空間と、滞留時間が相対的に短い通過型の空間とにそれぞれ分類され、トリガ信号の入力に応じて表示制御部が表示装置にコンテンツを表示させる表示時間は、制御対象の表示装置が滞在型の空間にある場合に比べて、通過型の空間にある場合の方が短い時間に設定されることも好ましい。
【００１１】
また、この宅内表示システムにおいて、記憶部に、住戸内の所望の空間に対応付けて、コンテンツのアドレス情報の代わりにテレビジョン放送のテレビ映像が設定され、表示制御部は、所望の空間にある表示装置の起動時に、この表示装置にテレビジョン放送のテレビ映像を表示させることも好ましい。
【００１２】
さらに、この宅内表示システムにおいて、コンテンツサーバは、表示制御部からアクセスされた際に、アクセスされた時刻に応じて、アドレス情報のリンク先のコンテンツを変更する機能を有することも好ましい。
【００１３】
また、この宅内表示システムにおいて、記憶部が、コンテンツサーバに設けられ、表示制御部は、トリガ信号が入力されると、制御対象の表示装置から位置情報を取得して、この位置情報をコンテンツサーバに送信し、コンテンツサーバは、表示制御部から位置情報を取得すると、記憶部から対応するアドレス情報を取得して、このアドレス情報を送信元の表示制御部へ返送しており、送信元の表示制御部では、コンテンツサーバから返送されたアドレス情報を用いて、コンテンツサーバにアクセスし、このコンテンツサーバから提供されたコンテンツを表示装置に表示させることも好ましい。
【発明の効果】
【００１４】
本発明の宅内表示システムによれば、スリープ状態が解除された際に、設置場所に合わせた初期画面を表示させることができる。
【図面の簡単な説明】
【００１５】
【図１】実施形態１の宅内表示システムの概略的なシステム構成図である。
【図２】同上の動作を説明するシーケンス図である。
【図３】（ａ）（ｂ）は同上に用いられるデータテーブルの説明図である。
【図４】実施形態２の動作を説明するシーケンス図である。
【図５】同上に用いられるデータテーブルの説明図である。
【図６】実施形態３の動作を説明するシーケンス図である。
【発明を実施するための形態】
【００１６】
以下、本発明の実施の形態を図面に基づいて説明する。
【００１７】
（実施形態１）
本発明の実施形態１を図１〜図３に基づいて説明する。図１は本実施形態の全体構成を示したシステム構成図である。図１では一軒の住戸ＨＭのみしか図示されていないが、住戸ＨＭに設けられた宅内表示システムを複数軒の住戸に適用してもよいことは言うまでもない。また本実施形態は、戸建て住宅のような住戸ＨＭに本発明の技術思想を適用した形態であるが、集合住宅の各住戸に本発明の技術思想を適用しても良いことは言うまでもない。
【００１８】
住戸ＨＭの内部は壁によって複数の空間（居間、寝室、台所、洗面室、浴室、トイレ、廊下、玄関など）に仕切られ、これらの空間Ｒａ，Ｒｂ，Ｒｃには、表示装置１ａ〜１ｃ、表示制御部２ａ〜２ｃ、人感センサ３ａ〜３ｃ、設定スイッチ４ａ〜４ｃが配置される。また住戸ＨＭ内の各空間Ｒａ，Ｒｂ，Ｒｃには、各々の空間を識別するために個別の位置情報が割り当てられている。尚、住戸ＨＭ内の全ての空間に表示装置１ａ…が設置されている必要はなく、住居人が必要とする空間に設置されていればよい。
【００１９】
各空間Ｒａ〜Ｒｃの表示制御部２ａ〜２ｃはＷｅｂクライアント機能を有しており、表示制御部２ａ〜２ｃ及びコンテンツサーバ５は、住戸ＨＭ内に構築された宅内ネットワークＮＴ１に接続されている。また住戸ＨＭ内には、Ｗｅｂサーバ機能を有するコンテンツサーバ５が設置されている。住戸ＨＭ内の表示制御部２ａ〜２ｃ及びコンテンツサーバ５は、ルータ６を介してインターネットのような広域通信網ＮＴ２に接続されている。
【００２０】
また図１の７はコンテンツ提供事業者が運営するコンテンツサーバであり、各住戸の表示制御部２ａ…及びコンテンツサーバ５から広域通信網ＮＴ２を介して事業者側のコンテンツサーバ７にアクセス可能になっている。各住戸ＨＭのコンテンツサーバ５に蓄積されていないコンテンツは、事業者側のコンテンツサーバ７から表示制御部２ａ…に提供されるようになっている。
【００２１】
次に宅内表示システムの各構成要素について説明する。なお、以下の説明では個々の表示装置について説明をする場合は表示装置１ａ，１ｂ，１ｃと表記し、全ての表示装置に共通する説明の場合は表示装置１と表記する。表示制御部２ａ〜２ｃ、人感センサ３ａ〜３ｃ、設定スイッチ４ａ〜４ｃについても、個々の説明を行う場合と全体的な説明を行う場合とで、符号の表記を同様に区別するものとする。
【００２２】
表示装置１（１ａ〜１ｃ）は、住戸ＨＭ内に設置された設備機器（電気錠装置、照明器具、防犯システムなど）の動作を監視、制御するコントロールパネル、或いはテレビなどで構成され、住戸人に提供するコンテンツを表示するための表示モニタを備える。表示装置１では、コンテンツを一定時間表示すると、画面表示を休止して、スリープ状態に移行することで、使用電力量の低減を図っている。また、スリープ状態にある表示装置１に表示制御部２から起動信号が入力されると、表示装置１は、スリープ状態から復帰し、表示制御部２によって指定されたコンテンツを表示する。なお、住戸人に提供されるコンテンツは、例えばコンテンツサーバ５から提供されるＷｅｂページであり、表示装置１がテレビの場合にはテレビ番組などでもよい。
【００２３】
人感センサ３（３ａ〜３ｃ）は、例えば、人体から放射される熱線を検出することによって検知エリアにおける人の存否を検知する焦電型の赤外線検出素子で構成される。人感センサ３は、自身が設置された空間内で人の存在を検知すると、同じ空間に設置された表示制御部２にトリガ信号として人体検知信号を出力する。
【００２４】
表示制御部２（２ａ〜２ｃ）は、同じ空間に設置された表示装置１の表示内容を制御する。各々の表示制御部２には、対応する表示装置１が存在する空間の位置情報を設定するための設定スイッチ４（４ａ〜４ｃ）が接続されている。位置情報設定部たる設定スイッチ４は例えばディップスイッチからなり、例えば施工時などに設定スイッチ４を用いて、対応する表示装置１が存在する空間Ｒａ〜Ｒｃ、すなわち自身が設置されている空間Ｒａ〜Ｒｃに割り付けられた番号（位置情報）が設定される。
【００２５】
また、各々の表示制御部２は、各空間Ｒａ〜Ｒｃの位置情報と、表示装置１の起動時に表示させるコンテンツのアドレス情報とを対応付けたデータテーブルＴＢ１（図３（ａ）参照）をメモリ９（記憶部）に記憶している。尚、メモリ９では、各空間の位置情報と起動時に表示させるコンテンツのアドレス情報とをデータテーブルＴＢ１として記憶する必要はなく、位置情報とアドレス情報とが対応付けて記憶されていればよい。
【００２６】
次に、この宅内表示システムにおいて、表示制御部２が、トリガ入力を受けてスリープ状態の表示装置１を起動し、この表示装置１に設置場所に応じた初期画面を表示させる動作について図１及び図２を参照して説明する。
【００２７】
空間Ｒａに住居人がおらず、この空間Ｒａに設置された表示装置１が使用されていない場合、この表示装置１はモニタの電源をオフして、スリープ状態に切り替えられている（図２のＳ１１）。この状態で空間Ｒａに住居人が入ると、人感センサ３ａが住戸人を検知して（図２のＳ１２）、人体検知信号を表示制御部２ａに出力する（図１のＳ１、図２のＳ１３）。
【００２８】
表示制御部２ａは、人感センサ３ａから人体検知信号がトリガ信号として入力されると、表示モニタの電源を投入させる起動命令を、同じ空間Ｒａにある表示装置１ａに出力する（図１のＳ２、図２のＳ１４）。この起動命令を受け取った表示装置１ａは、表示モニタの電源を投入した後（図２のＳ１５）、表示モニタの画面サイズを引数として、表示モニタの起動通知を表示制御部２ａに返送する（図１のＳ３、図２のＳ１６）。尚、表示制御部２に画面サイズを返送させるのは、ＶＧＡ（Ｖｉｄｅｏ  Ｇｒａｐｈｉｃｓ  Ａｒｒａｙ）やＱＶＧＡ（Ｑｕａｒｔｅｒ  ＶＧＡ）など表示モニタの解像度に応じて、コンテンツサーバ５，７から提供されるコンテンツが異なるためである。
【００２９】
表示制御部２ａは、表示装置１ａから起動通知を受信すると、設定スイッチ４ａから表示装置１ａの設置場所を示す番号（位置情報）を読み取る（図２のＳ１７）。さらに、表示制御部２ａは、読み取った番号をもとに上述のデータテーブルＴＢ１を参照して、表示させるコンテンツのアドレス情報を取得する（図２のＳ１８）。表示制御部２ａは、アドレス情報を取得すると、このアドレス情報を用い、Ｓ１６で受信した画面サイズを引数として、アドレス情報に対応したコンテンツサーバ５（又は７）にアクセスする（図２のＳ１９）。
【００３０】
対象のコンテンツを蓄積したコンテンツサーバ５（又は７）は、表示制御部２ａからアクセスされると、表示制御部２ａから送信された画面サイズの情報及びアドレス情報を取得する（図２のＳ２０）。このコンテンツサーバ５（又は７）は、画面サイズの情報とアドレス情報とをもとに、送信するＷｅｂページを決定して、このＷｅｂページのデータを表示制御部１ａに送信する（図２のＳ２１）。表示制御部２ａは、このＷｅｂページを表示装置１ａに送信し（図２のＳ２２）、表示装置１ａでは、表示制御部２ａから送信されたＷｅｂページを表示する（図２のＳ２４）。また表示制御部２ａは、Ｗｅｂページの送信後に所定の表示時間をカウントするタイマ（図示せず）を起動させる（図２のＳ２３）。このタイマが表示時間のカウント動作を完了すると（図２のＳ２５）、表示制御部２ａは、表示モニタの電源をオフさせる制御命令（スリープ命令）を表示装置１ａに送信する（図２のＳ２６）。表示装置１ａでは、表示制御部２ａからスリープ命令を受信するまでの間に、表示装置１ａ側で画面切替などの何らかの操作が行われなければ、表示モニタの電源をオフして、スリープ状態に移行する（図２のＳ２７）。
【００３１】
このように、スリープ状態の表示装置１を起動させる場合、表示制御部２は、制御対象の表示装置１が存在する空間に応じたアドレス情報をデータテーブルＴＢ１から読み取っている。そして、表示制御部２は、読み取ったアドレス情報をもとに、このコンテンツが蓄積されているコンテンツサーバ５（又は７）をアクセスして、コンテンツサーバ５（又は７）から送信されたコンテンツを表示装置１に表示させている。尚、住戸外のコンテンツサーバ７からインターネット経由で表示装置１にコンテンツが配信される場合、住戸ＨＭ内に設けられたコンテンツサーバ５はプロキシサーバの役割を果たすことになる。
【００３２】
これにより、表示装置１がスリープ状態から起動した際には、設置場所に応じて予め設定されているコンテンツが初期画面として表示されるから、設置場所にあったコンテンツを住戸人に対して提供することができる。例えばデータテーブルＴＢ１で台所の番号に対応付けて調理メニューを検索するＷｅｂページのアドレス情報が設定されていれば、台所で必要な情報を得るためのＷｅｂページに切り替える操作を省くことができる。またデータテーブルＴＢ１で玄関の番号に対応付けて天気予報を表示するＷｅｂページや、交通機関の時刻表を表示するＷｅｂページのアドレス情報が設定されていれば、外出の際に必要な情報を得るためのＷｅｂページに切り替える操作を省くことができる。尚、住戸ＨＭ内の各空間で必要なコンテンツは住居人によって異なると考えられるが、住居人が各空間に対応付けて所望のコンテンツのアドレス情報を設定しておけば、各空間で表示装置１の起動時に所望のコンテンツを表示させることができる。したがって、住居人が、表示装置１の初期画面から、画面の切替操作を行って所望のコンテンツを表示させる必要が無く、表示内容の切替操作を省くことができる。
【００３３】
また表示制御部２は、スリープ状態の表示装置１を起動させて、その設置場所に応じた初期画面を表示させると、所定の表示時間が経過した時点で表示装置１の表示を停止させるのであるが、この表示時間は設置場所に応じて異なる時間に設定されてもよい。表示装置１が設置される複数の空間は、住戸人の滞留時間に着目すると、滞留時間が相対的に長い滞在型の空間（例えば居間、寝室、台所など）と、滞留時間が相対的に短い通過型の空間（例えば廊下、階段、玄関など）に分類される。表示制御部２では、滞在型の空間にある表示装置１に比べて、通過型の空間にある表示装置１の表示時間をより短い時間に設定している。例えば滞在型の空間にある表示装置１では表示時間が約１８０秒、通過型の空間にある表示装置１では表示時間が約１０秒に設定されている。
【００３４】
これにより、通過型の空間にある表示装置１の場合、住居人は短時間で通過していくため、表示時間を短めに設定することで、表示装置１の電力使用量を削減できる。また、滞在型の空間にある表示装置１の場合、住居人は長期間滞留するので、表示時間を長めに設定することによって、初期画面のコンテンツを長時間表示させることができで、このコンテンツの見落としが起こりにくいという効果がある。
【００３５】
また本実施形態では、表示装置１が設置される空間に応じて、初期画面として表示されるコンテンツを設定できるようになっているが、通過型の空間と滞在型の空間とで、初期画面として表示されるコンテンツの内容を異ならせてもよい。通過型の空間では、滞在型の空間に比べて、表示装置１の表示を見る時間が短くなると考えられるので、必要最小限の情報を簡潔に表示したコンテンツ（このようなコンテンツを通過型コンテンツと言う。）を提供することが好ましい。一方、滞在型の空間では、通過型の空間に比べて、表示内容を長い時間見ることができるので、より多くの情報を住戸人に提供できるように、多種の情報を含んだ、情報量の大きなコンテンツ（このようなコンテンツを滞在型コンテンツと言う。）を提供することが好ましい。而してデータテーブルＴＢ１において、滞在型の空間に対応して滞在型コンテンツのアドレス情報が、通過型の空間に対応して通過型コンテンツのアドレス情報が登録されることが好ましく、設置空間に適した内容のコンテンツを提供することができる。
【００３６】
尚、本実施形態では表示制御部２のメモリ９にデータテーブルＴＢ１を保持させ、表示制御部２が、表示装置１の位置情報をもとにデータテーブルＴＢ１を参照し、位置情報に応じたアドレス情報を取得しているが、コンテンツサーバ５，７の記憶部に、表示装置１の位置情報とコンテンツのアドレス情報とを対応付けた情報を記憶させていてもよい。
【００３７】
また更に、本実施形態ではトリガ信号として人体検知信号が入力されると、表示制御部２が表示装置１を起動させているが、表示装置１のリモコン操作を行うためのリモコン送信器（図示せず）から送信されるリモコン信号をトリガ信号としてもよい。すなわち表示制御部２に、リモコン送信器から送信される無線信号（例えば赤外線信号）を受信するリモコン受信部８を設け、ユーザの操作に応じてリモコン送信器から送信されたリモコン信号を受信すると、この受信信号をもとに表示装置１を起動させればよい。
【００３８】
またメモリ９には、表示装置１が存在する空間の位置情報に対して、Ｗｅｂページのアドレス情報を対応付けた情報が登録されているが、起動時に表示させるコンテンツはＷｅｂページに限定されるものではなく、テレビジョン放送の画面を表示させてもよい。図３（ｂ）は表示制御部２が保持するデータテーブルＴＢ１の設定内容を示し、住戸ＨＭ内で番号（位置情報）が「０３」「０４」の空間には、Ｗｅｂページのアドレス情報の代わりに、テレビ入力が対応付けて設定されている。
【００３９】
これにより、これらの空間「０３」「０４」にある表示装置１がスリープ状態から起動した場合、この表示装置１の表示を制御する表示制御部２は、表示装置１に所定のテレビ画面を表示させることができる。尚、起動時に表示させるテレビ映像は、スリープ状態に切り替わる前に表示していたチャンネルのテレビ映像でもよいし、予め設定されたチャンネルのテレビ映像でもよい。
【００４０】
（実施形態２）
本発明の実施形態２を図４及び図５に基づいて説明する。実施形態１では表示装置１が存在する空間によって、起動時に表示させるコンテンツが変更されているが、本実施形態では、表示装置１が存在する空間と、起動時の時間帯とに応じて、起動時に表示させるコンテンツが変更されている。尚、本実施形態のシステム構成は実施形態１と同様であるので、共通する構成要素には同一の符号を付して、図示及び説明は省略し、本実施形態の特徴部分のみを説明する。
【００４１】
コンテンツサーバ５，７は、現在の時刻を計時する計時機能を備えるとともに、表示制御部２からアクセスされた際に、計時機能により求めた現在時刻に応じて、リンク先のアドレス情報を変更する機能を備えている。
【００４２】
また、コンテンツサーバ５，７は、書き換え可能な不揮発性の半導体メモリ（ＥＥＰＲＯＭなど）からなる記憶部（図示せず）を備えている。この記憶部には、上記のデータテーブルＴＢ１で設定された各空間のアドレス情報と、このアドレス情報のリンク先を時間帯に応じて変更させるためのアドレス情報とが対応付けられたデータテーブルＴＢ２が記憶されている。
【００４３】
図５はデータテーブルＴＢ２の一例を示し、このデータテーブルＴＢ２では、データテーブルＴＢ１で設定された各空間のアドレス情報毎に、時間帯別コンテンツの設定の有無を示すフラグが登録されている。図５に示すデータテーブルＴＢ２では、深夜（０時〜６時）、朝（６時〜９時）、昼間（９時〜１７時）、夕方（１７時〜１９時）、夜（１９時〜２４時）の５つの時間帯についてアドレス情報が設定されるようになっている。尚、時間帯の分け方について上記のデータテーブルＴＢ２は一例であり、住居人の行動様式に合わせて適宜変更が可能である。
【００４４】
ここで、時間帯別コンテンツのフラグが設定無しとなっている場合、コンテンツサーバ５，７は、データテーブルＴＢ１で設定された各空間のアドレス情報を、時間帯に関係無く使用する。図５の例では、番号（位置情報）が「０３」「０４」の設置空間に対するアドレス情報については、時間帯別コンテンツのフラグは設定無しとなっているので、時間帯に関係無く同じアドレス情報を使用する。
【００４５】
一方、時間帯別コンテンツのフラグが設定有りとなっている場合、個々の時間帯毎にリンク先のアドレス情報が設定されている。例えば、番号が「０１」の設置空間に対するアドレス情報「http://…/loc01」については、深夜の時間帯はリンク先が「http://…/loc01/mid」に設定されている。また、朝の時間帯のリンク先は「http://…/loc01/mor」に、昼間の時間帯のリンク先は「http://…/loc01/day」にそれぞれ設定されている。さらに、夕方の時間帯のリンク先は「http://…/loc01/eve」に、夜の時間帯のリンク先は「http://…/loc01/nig」にそれぞれ設定されている。
【００４６】
次に、この宅内表示システムにおいて、表示制御部２が、トリガ入力を受けてスリープ状態の表示装置１を起動し、この表示装置１に設置場所と時間帯とに応じた初期画面を表示させる動作について図４を参照して説明する。
【００４７】
空間Ｒａに住居人がおらず、この空間Ｒａに設置された表示装置１ａが使用されていない場合、この表示装置１ａはモニタの電源をオフして、スリープ状態に切り替えられている（図４のＳ３１）。この状態で空間Ｒａに住居人が入ると、人感センサ３ａが住戸人を検知して（図４のＳ３２）、人体検知信号を表示制御部２に出力する（図４のＳ３３）。
【００４８】
表示制御部２ａは、人感センサ３ａから人体検知信号がトリガ信号として入力されると、表示モニタの電源を投入させる起動命令を、同じ空間Ｒａにある表示装置１ａに出力する（図４のＳ３４）。この起動命令を受け取った表示装置１ａは、表示モニタの電源を投入した後（図４のＳ３５）、表示モニタの画面サイズを引数として、表示モニタの起動通知を表示制御部２ａに返送する（図４のＳ３６）。
【００４９】
表示制御部２ａは、表示装置１ａから起動通知を受信すると、設定スイッチ４ａから表示装置１ａの存在する空間を示す番号（位置情報）を読み取る（図４のＳ３７）。さらに、表示制御部２ａは、読み取った番号をもとにデータテーブルＴＢ１を参照して、起動時に表示させるコンテンツのアドレス情報を取得する（図４のＳ３８）。表示制御部２ａは、アドレス情報を取得すると、このアドレス情報を用い、Ｓ３６で受信した画面サイズを引数として、アドレス情報に対応したコンテンツサーバ５（又は７）にアクセスする（図４のＳ３９）。
【００５０】
対象のコンテンツを蓄積したコンテンツサーバ５（又は７）は、表示制御部２ａからアクセスされると、表示制御部２ａから送信された画面サイズの情報及びアドレス情報を取得する（図４のＳ４０）。このコンテンツサーバ５（又は７）は、計時機能により表示制御部２ａからアクセスされた時刻を取得し（図４のＳ４１）、Ｓ４０で取得したアドレス情報と時刻情報をもとに、データテーブルＴＢ２を参照して、リンク先のアドレス情報を決定する（図４のＳ４２）。例えば表示制御部２ａから送信されたアドレス情報が「http://…/loc01」で、アクセスされた時刻が８時であれば、データテーブルＴＢ２より朝の時間帯のアドレス情報「http://…/loc01/mor」にリンク先が決定される。
【００５１】
このようにしてリンク先が決定されると、コンテンツサーバ５（又は７）から、Ｓ４２で決定されたリンク先のＷｅｂページが表示制御部２ａに送信される（図４のＳ４３）。表示制御部２ａは、このＷｅｂページを表示装置１ａに送信し（図４のＳ４４）、表示装置１ａでは、表示制御部２ａから送信されたＷｅｂページを表示する（図４のＳ４６）。また表示制御部２ａは、Ｗｅｂページの送信後に所定の表示時間をカウントするタイマ（図示せず）を起動させる（図４のＳ４５）。このタイマが表示時間のカウント動作を完了すると（図４のＳ４７）、表示制御部２ａは表示モニタの電源をオフさせる制御命令（スリープ命令）を表示装置１ａに送信する（図２のＳ４８）。表示装置１ａでは、表示制御部２ａからスリープ命令を受信するまでの間に、表示装置１ａ側で画面切替などの何らかの操作が行われなければ、表示モニタの電源をオフして、スリープ状態に移行する（図４のＳ４９）。
【００５２】
上述のように、スリープ状態の表示装置１を起動させる場合、表示制御部２は、制御対象の表示装置１が存在する空間の位置情報に応じたアドレス情報をデータテーブルＴＢ１から読み取っている。表示制御部２が、読み取ったアドレス情報をもとにコンテンツサーバ５（又は７）にアクセスすると、コンテンツサーバ５（又は７）では、アクセスされた時間帯をもとにデータテーブルＴＢ２を参照して、リンク先のアドレスを変更する。すなわち、コンテンツサーバ５，７は、表示制御部２からのアクセス時刻に応じて、アドレス情報のリンク先のコンテンツを変更する機能を有し、表示装置１には、データテーブルＴＢ２の設定に応じてアドレス情報が変更されたコンテンツが表示される。
【００５３】
これにより、表示装置１がスリープ状態から起動した際には、設置場所と起動時刻とにそれぞれ対応して決定されるコンテンツが初期画面として表示されるから、設置場所及び起動時刻に適合したコンテンツを住戸人に対して提供することができる。ここで、時間帯別のコンテンツアドレスを規定したデータテーブルＴＢ２はコンテンツサーバ５，７に持たせてあるので、データテーブルＴＢ２の内容を変更する場合は、コンテンツサーバ５，７のみでデータテーブルＴＢ２の内容を書き換える作業を行えばよい。尚、表示制御部２に、上記のデータテーブルＴＢ１に加えて、時間帯別のコンテンツアドレスを設定するデータテーブルＴＢ２を持たせてもよいことはいうまでもない。また本実施形態では、データテーブルＴＢ１，ＴＢ２において、起動時に表示させるコンテンツとしてＷｅｂページのアドレス情報が設定されているが、テレビジョン放送の画面を起動時のコンテンツとして設定してもよい。また、テレビジョン放送の画面を起動画面として設定する場合にも、データテーブルＴＢ２に、各々の時間帯においてテレビジョン放送の画面を個別に設定してもよく、各時間帯にあったテレビジョン放送の画面（テレビ画面）を住戸人に提示することができる。
【００５４】
尚、表示装置１の設置場所によっては、時間帯に応じて起動画面を変更させる必要が無い場合もあり、このような設置場所にある表示装置１については、時間帯別コンテンツのフラグを設定無しとして、同じコンテンツが表示されるようにすればよい。
【００５５】
（実施形態３）
本発明の実施形態３を図６に基づいて説明する。実施形態１，２では、起動時に表示させるコンテンツを設定したデータテーブルＴＢ１を表示制御部２ａに持たせているのに対して、本実施形態では上記のデータテーブルＴＢ１を、宅内に設置されたコンテンツサーバ５に持たせてある。尚、実施形態１，２の宅内表示システムと共通する構成要素には同一の符号を付して、その説明は省略し、本実施形態の特徴部分について以下に説明する。
【００５６】
コンテンツサーバ５のメモリ（図示せず）には、表示装置１の起動時に表示させるコンテンツの情報を記憶したデータテーブルＴＢ１が記憶されている。図３（ａ）（ｂ）はデータテーブルＴＢ１の一例であり、住戸ＨＭ内の各々の空間を示す位置情報と、各空間に存在する表示装置１の起動時に表示させるコンテンツの情報とが対応付けて設定されている。尚、起動時に表示させるコンテンツの情報としては、Ｗｅｂページのアドレス情報やテレビジョン放送のテレビ映像の情報などが設定される。
【００５７】
次に、この宅内表示システムにおいて、表示制御部２が、トリガ入力を受けてスリープ状態の表示装置１を起動し、この表示装置１に設置場所に応じた初期画面を表示させる動作について図６を参照して説明する。
【００５８】
空間Ｒａに住居人がおらず、この空間Ｒａに設置された表示装置１が使用されていない場合、この表示装置１はモニタの電源をオフして、スリープ状態に切り替えられている（図６のＳ１１）。この状態で空間Ｒａに住居人が入ると、人感センサ３ａが住戸人を検知して（図６のＳ１２）、人体検知信号を表示制御部２ａに出力する（図６のＳ１３）。
【００５９】
表示制御部２ａは、人感センサ３ａから人体検知信号がトリガ信号として入力されると、表示モニタの電源を投入させる起動命令を、同じ空間Ｒａにある表示装置１ａに出力する（図６のＳ１４）。この起動命令を受け取った表示装置１ａは、表示モニタの電源を投入した後（図６のＳ１５）、表示モニタの画面サイズを引数として、表示モニタの起動通知を表示制御部２ａに返送する（図６のＳ１６）。
【００６０】
表示装置１の起動時に表示させるコンテンツのアドレス情報が表示制御部１に設定されていない場合、表示制御部２ａが、表示装置１ａから起動通知を受信すると、コンテンツのアドレス情報を取得する処理を行う。
【００６１】
すなわち、表示制御部２ａは、設定スイッチ４ａから表示装置１ａの設置場所を示す番号（位置情報）を読み取し（図６のＳ１７）、この番号を引数として初期画面のアドレス情報を要求する信号をコンテンツサーバ５（又は７）に送信する（図６のＳ２８）。コンテンツサーバ５（又は７）は、何れかの表示制御部２ａからアドレス情報の要求信号を受信すると、要求信号と共に送られた設置場所の番号（位置情報）をもとに、データテーブルＴＢ１を参照して、初期画面のコンテンツのアドレス情報を取得する（図６のＳ２９）。さらにコンテンツサーバ５（又は７）は、Ｓ２９で取得したアドレス情報を、要求信号の送信元である表示制御部２ａに返送する（図６のＳ３０）。要求信号を送信した表示制御部２ａは、コンテンツサーバ５（又は７）からアドレス情報が返送されると、このアドレス情報をメモリ９（記憶部）に記憶させる。そして、コンテンツサーバ５（又は７）からアドレス情報を一旦取得すると、表示制御部２ａは、メモリ９に記憶されたアドレス情報を用い、Ｓ１６で受信した画面サイズを引数としてコンテンツサーバ５（又は７）にアクセスする（図６のＳ１９）。
【００６２】
対象のコンテンツを蓄積したコンテンツサーバ５（又は７）では、表示制御部２ａからアクセスされると、表示制御部２ａから送信された画面サイズの情報及びアドレス情報を取得する（図６のＳ２０）。コンテンツサーバ５（又は７）は、画面サイズの情報とアドレス情報とをもとに、送信するＷｅｂページを決定して、このＷｅｂページのデータを表示制御部２ａに送信する（図６のＳ２１）。表示制御部２ａは、このＷｅｂページを表示装置１ａに送信し（図６のＳ２２）、表示装置１ａでは、表示制御部２ａから送信されたＷｅｂページを表示する（図６のＳ２４）。また表示制御部２ａは、Ｗｅｂページの送信後に所定の表示時間をカウントするタイマ（図示せず）を起動させる（図６のＳ２３）。このタイマが表示時間のカウント動作を完了すると（図６のＳ２５）、表示制御部２ａは、表示モニタの電源をオフさせる制御命令（スリープ命令）を表示装置１ａに送信する（図６のＳ２６）。表示装置１ａでは、表示制御部２ａからスリープ命令を受信するまでの間に、表示装置１ａ側で画面切替などの何らかの操作が行われなければ、表示モニタの電源をオフして、スリープ状態に移行する（図６のＳ２７）。
【００６３】
このように、表示装置１の表示を制御する表示制御部２から初期画面のアドレス情報の送信要求があると、コンテンツサーバ５（又は７）は、表示装置１の存在する位置に応じたアドレス情報をデータテーブルＴＢ１から読み取り、要求元の表示制御部２に返送する。そして、表示制御部２は、コンテンツサーバ５（又は７）から返送されたアドレス情報をメモリ９に記憶させるとともに、コンテンツサーバ５（又は７）に再びアクセスし、コンテンツサーバ５（又は７）から送信されたコンテンツを表示装置１に表示させている。
【００６４】
これにより、表示装置１がスリープ状態から起動した際には、設置場所に応じて予め設定されているコンテンツが初期画面として表示されるから、設置場所にあったコンテンツを住戸人に対して提供することができる。また表示制御部２では、図６のＳ１７〜Ｓ２９までの処理によって、起動時に表示させるコンテンツのアドレス情報を取得すると、この情報をメモリ９に記憶させている。そして、これ以降にトリガ信号が入力されると、表示制御部２は、メモリ９から読み出したアドレス情報を用いてコンテンツサーバ５（又は７）から対応するコンテンツの情報を取得しているので、その都度アドレス情報を取得する手間を無くすことができる。
【００６５】
しかも、住戸ＨＭ内の各空間と、スリープ状態からの起動時に表示されるコンテンツアドレスとの対応関係を規定したデータテーブルＴＢ１は、コンテンツサーバ５（又は７）のみに持たせてある。データテーブルＴＢ１の内容を変更したい場合、各々の表示制御部２にデータテーブルＴＢ１を持たせていると、全ての表示制御部２でデータテーブルＴＢ１の内容を書き換える作業を行う必要がある。それに対して、本実施形態ではデータテーブルＴＢ１をコンテンツサーバ５（又は７）に持たせている。
【００６６】
これにより、コンテンツサーバ５（又は７）だけで、データテーブルＴＢ１の内容を書き換える作業を行えば済むから、データテーブルＴＢ１の設定変更に容易に対応することができる。
【００６７】
ところで、上述の各実施形態では、設定スイッチ４ａ〜４ｃを用いて対応する表示装置１の位置情報を設定しているが、設定スイッチ４ａ…による設定以外の方法で表示装置１の位置情報を設定してもよい。例えば表示装置１の使用される場所が予め決められており、表示装置１が備える不揮発性メモリ（図示せず）に予め（例えば工場出荷時など）その使用場所を示す位置情報を記憶させておき、表示制御部２ａ…が表示装置１から位置情報を読み込むようにしてもよい。この場合は、表示装置１に設けられた不揮発性メモリから位置情報設定部が構成される。また表示装置１が、無線通信機能を備えた携帯型の表示端末からなる場合、各空間に設置された無線基地局から無線送信される位置情報を表示装置１が受信し、受信した位置情報を、現在位置を示す位置情報としてメモリに記憶するようにしてもよい。この場合は、各空間に設置されて、設置された空間の位置情報を無線送信する無線基地局により位置情報設定部が構成されるのである。
【符号の説明】
【００６８】
１ａ〜１ｃ  表示装置
２ａ〜２ｃ  表示制御部
３ａ〜３ｃ  人感センサ（トリガ発生部）
４ａ〜４ｃ  設定スイッチ（位置情報設定部）
５，７  コンテンツサーバ
６  ルータ
ＨＭ  住戸
ＮＴ１  宅内ネットワーク
ＮＴ２  インターネット
Ｒａ〜Ｒｃ  空間
ＴＢ１，ＴＢ２  データテーブル
【図１】
2011204196.tif 000003
【図２】
2011204196.tif 000004
【図３】
2011204196.tif 000005
【図４】
2011204196.tif 000006
【図５】
2011204196.tif 000007
【図６】
2011204196.tif 000008